(57)【特許請求の範囲】
【請求項１】
室外機と室内機を有し、前記室外機と前記室内機間で運転制御のためのデータ伝送を一本の信号線でデータを伝送するシリアル伝送システムにより行うもので、前記室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、
前記室外機の信号線路と一方の商用電源線路間に、前記室外機の送受信回路部と並列にスイッチ部と電流を制限する抵抗を直列に接続した回路を設けたことを特徴とする空気調和機の運転制御装置。
【請求項２】
前記スイッチ部はデジタルトランジスタを介して、前記室外機の送信スイッチ部と反転の論理で動作するように接続されていることを特徴とする請求項１に記載の空気調和機の運転制御装置。
【請求項３】
室外機と室内機を有し、前記室外機と前記室内機間で運転制御のためのデータ伝送を一本の信号線でデータを伝送するシリアル伝送システムにより行うもので、前記室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、
前記室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことを特徴とする空気調和機の運転制御装置。
【請求項４】
室外機と室内機を有し、前記室外機と前記室内機間で運転制御のためのデータ伝送を一本の信号線でデータを伝送するシリアル伝送システムにより行うもので、前記室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、
前記室内機の信号線路と一方の商用電源線路間に、室内機の直流電源、抵抗及びスイッチ部とを直列につないだ経路を送受信回路部と別経路で設け、前記室外機の信号線路と一方の商用電源線路間にツェナーダイオードを設けたことを特徴とする空気調和機の運転制御装置。
【請求項５】
前記室内機の直流電源をコンデンサ、ツェナーダイオードにより構成したことを特徴とする請求項４に記載の空気調和機の運転制御装置。
【請求項６】
前記スイッチ部はデジタルトランジスタを介して、前記室内機の送信スイッチ部と反転の論理で動作するように接続されていることを特徴とする請求項４に記載の空気調和機の運転制御装置。
【請求項７】
前記スイッチ部をフォトカプラで構成したことを特徴とする請求項１又は請求項４に記載の空気調和機の運転制御装置。
【請求項８】
請求項１に記載の空気調和機の運転制御装置において、
前記室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことを特徴とする空気調和機の運転制御装置。
【請求項９】
請求項１に記載の空気調和機の運転制御装置において、
前記室内機の信号線路と一方の商用電源線路間に、室内機の直流電源、抵抗及びスイッチ部とを直列につないだ経路を送受信回路部と別経路で設け、前記室外機の信号線路と一方の商用電源線路間にツェナーダイオードを設けたことを特徴とする空気調和機の運転制御装置。
【請求項１０】
請求項８に記載の空気調和機の運転制御装置において、
前記室内機の信号線路と一方の商用電源線路間に、室内機の直流電源、抵抗及びスイッチ部とを直列につないだ経路を送受信回路部と別経路で設け、前記室外機の信号線路と一方の商用電源線路間にツェナーダイオードを設けたことを特徴とする空気調和機の運転制御装置。
【請求項１１】
請求項３に記載の空気調和機の運転制御装置において、
前記室内機の信号線路と一方の商用電源線路間に、室内機の直流電源、抵抗及びスイッチ部とを直列につないだ経路を送受信回路部と別経路で設け、前記室外機の信号線路と一方の商用電源線路間にツェナーダイオードを設けたことを特徴とする空気調和機の運転制御装置。
【請求項１２】
室外機と複数台の室内機を有し、前記室外機と前記室内機間で運転制御のためのデータ伝送を一本の信号線で複数のデータを伝送するシリアル伝送システムにより行うもので、前記室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、
前記室外機の信号線路と一方の商用電源線路間に、前記室外機の送受信回路部と並列にスイッチ部と電流を制限する抵抗を直列に接続した回路を設けたことを特徴とするマルチ式空気調和機の運転制御装置。
【請求項１３】
前記スイッチ部をフォトカプラで構成したことを特徴とする請求項１２に記載のマルチ式空気調和機の運転制御装置。
【請求項１４】
前記スイッチ部はデジタルトランジスタを介して、前記室外機の送信スイッチ部と反転の論理で動作するように接続されていることを特徴とする請求項１２に記載のマルチ式空気調和機の運転制御装置。
【請求項１５】
室外機と複数台の室内機を有し、前記室外機と前記室内機間で運転制御のためのデータ伝送を一本の信号線で複数のデータを伝送するシリアル伝送システムにより行うもので、前記室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、
前記室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことを特徴とするマルチ式空気調和機の運転制御装置。
【請求項１６】
室外機と複数台の室内機を有し、前記室外機と前記室内機間で運転制御のためのデータ伝送を一本の信号線で複数のデータを伝送するシリアル伝送システムにより行うもので、前記室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、
前記室内機の信号線路と一方の商用電源線路間に、室内機の直流電源、抵抗Ｒ５及びスイッチ部とを直列につないだ経路を送受信回路部と別経路で設けると共に、前記室外機の信号線路と一方の商用電源線路間にツェナーダイオードを設け、前記室外機の送受信回路部に設けた誤配線時に前記室外機の受信検出部を保護するための抵抗Ｒ２、前記室内機の送受信回路部に設けた誤配線時に前記室内機の受信検出部を保護するための抵抗Ｒ３、及び前記抵抗Ｒ５の３個の抵抗の定数を調節して、信号線路と一方の商用電源線路間の電圧を前記ツェナーダイオードのツェナー電圧未満とすることにより、複数の室内機との通信を可能としたことを特徴とするマルチ式空気調和機の運転制御装置。
【請求項１７】
前記室内機の直流電源をコンデンサ、ツェナーダイオードにより構成したことを特徴とする請求項１６に記載のマルチ式空気調和機の運転制御装置。
【請求項１８】
前記スイッチ部はデジタルトランジスタを介して、前記室内機の送信スイッチ部と反転の論理で動作するように接続されていることを特徴とする請求項１６に記載のマルチ式空気調和機の運転制御装置。
【請求項１９】
前記室内機の直流電源に接続された前記スイッチ部をフォトカプラで構成したことを特徴とする請求項１６に記載のマルチ式空気調和機の運転制御装置。
【請求項２０】
請求項１２に記載のマルチ式空気調和機の運転制御装置において、
前記室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことを特徴とするマルチ式空気調和機の運転制御装置。
【請求項２１】
請求項１２に記載のマルチ式空気調和機の運転制御装置において、
前記室内機の信号線路と一方の商用電源線路間に、室内機の直流電源、抵抗Ｒ５及びスイッチ部とを直列につないだ経路を送受信回路部と別経路で設けると共に、前記室外機の信号線路と一方の商用電源線路間にツェナーダイオードを設け、前記室外機の送受信回路部に設けた誤配線時に前記室外機の受信検出部を保護するための抵抗Ｒ２、前記室内機の送受信回路部に設けた誤配線時に前記室内機の受信検出部を保護するための抵抗Ｒ３、及び前記抵抗Ｒ５の３個の抵抗の定数を調節して、信号線路と一方の商用電源線路間の電圧を前記ツェナーダイオードのツェナー電圧未満とすることにより、複数の室内機との通信を可能としたことを特徴とするマルチ式空気調和機の運転制御装置。
【請求項２２】
請求項２０に記載のマルチ式空気調和機の運転制御装置において、
前記室内機の信号線路と一方の商用電源線路間に、室内機の直流電源、抵抗Ｒ５及びスイッチ部とを直列につないだ経路を送受信回路部と別経路で設けると共に、前記室外機の信号線路と一方の商用電源線路間にツェナーダイオードを設け、前記室外機の送受信回路部に設けた誤配線時に前記室外機の受信検出部を保護するための抵抗Ｒ２、前記室内機の送受信回路部に設けた誤配線時に前記室内機の受信検出部を保護するための抵抗Ｒ３、及び前記抵抗Ｒ５の３個の抵抗の定数を調節して、信号線路と一方の商用電源線路間の電圧を前記ツェナーダイオードのツェナー電圧未満とすることにより、複数の室内機との通信を可能としたことを特徴とするマルチ式空気調和機の運転制御装置。
【請求項２３】
請求項１５に記載のマルチ式空気調和機の運転制御装置において、
前記室内機の信号線路と一方の商用電源線路間に、室内機の直流電源、抵抗Ｒ５及びスイッチ部とを直列につないだ経路を送受信回路部と別経路で設けると共に、前記室外機の信号線路と一方の商用電源線路間にツェナーダイオードを設け、前記室外機の送受信回路部に設けた誤配線時に前記室外機の受信検出部を保護するための抵抗Ｒ２、前記室内機の送受信回路部に設けた誤配線時に前記室内機の受信検出部を保護するための抵抗Ｒ３、及び前記抵抗Ｒ５の３個の抵抗の定数を調節して、信号線路と一方の商用電源線路間の電圧を前記ツェナーダイオードのツェナー電圧未満とすることにより、複数の室内機との通信を可能としたことを特徴とするマルチ式空気調和機の運転制御装置。
【発明の詳細な説明】
【０００１】
【発明の属する技術分野】
この発明は、室外機と室内機間で運転制御のためのデータ伝送を一本の信号線で複数のデータを伝送するシリアル伝送方式により行い、送受信回路部の給電に直流電源を用いる空気調和機の運転制御装置、及びマルチ式空気調和機の運転制御装置に関するものである。
【０００２】
【従来の技術】
従来、室外機と複数の室内機との間でマルチ運転制御を行う場合、一本の信号線に複数のデータを時系列に並べて直列に伝送するシリアル伝送方式が採用されている。図８は、例えば特開平８−２７１０２２号公報に示された従来のマルチ式空気調和機の運転制御装置の回路図である。図に示すように、室外機１に室内機２、３、４が商用電源線路Ｒ、Ｓと信号線路５を介して接続され、商用電源線路Ｒ、Ｓ間に、ユニット毎に、送受信回路部６を接続し、送受信回路部６に、コントローラ９から出力する送信データにより、選択的に直流電流を通電させる送信スイッチ部７と、送受信回路部６の通電の有無をコントローラ９に出力する受信検出部８を直列に設けて、送信スイッチ部７と受信検出部８の接続部分を、信号線路５を介して相互に接続するものである。
【０００３】
室外機１と室内機２、３、４間の運転制御のためのデータ伝送の給電には直流電源が用いられている。交流電源ｅを電流制限用の抵抗Ｒ１、整流用ダイオードＤ、電圧制限用ツェナーダイオードＺＤ１及び平滑用コンデンサＣ１で直流に変換する。直流電圧は約２５Ｖであり、送受信回路部６に使用する半導体は通常耐圧のものでよく、また絶縁距離も小さくてよい。
【０００４】
室外機１の送受信回路部６には、誤配線時に送信スイッチ部７及び受信検出部８を保護するための商用電源を遮断可能なダイオードＤ２、電流を制限する抵抗Ｒ２が接続されており、送信スイッチ部７には高耐圧の送信用フォトカプラが使用されている。また、室内機２の送受信回路部６には、誤配線時に送信スイッチ部７及び受信検出部８を保護するための抵抗Ｒ３、商用電源を遮断可能なダイオードＤ３、ツェナーダイオードＺＤ２が接続されている。
【０００５】
次に、動作について説明する。上記のように構成された従来のマルチ式空気調和機の運転制御装置では、送信スイッチ部７は、コントローラ９の出力ポートＰＯに接続する発光素子７１と、発光素子７１から発せられる光信号を受光し通電又は遮断する受光素子７２を備えたフォトカプラを用い、コントローラ９から出力させる送信データに基づいて、送受信回路部６に直流電流を選択的に通電させるものである。
【０００６】
受信検出部８は、送受信回路部６に流れる直流電流により駆動される発光素子８１と、発光素子８１から発せられる光信号を受光する受光素子８２を備え、受光素子８２が通電又は遮断することにより、コントローラ９の入力ポートＰＩをハイレベル「Ｈ」又はローレベル「Ｌ」にできるようになっている。
【０００７】
コントローラ９は、出力ポートＰＯに出力する論理「１」に対応したハイレベル「Ｈ」又は論理「０」に対応したローレベル「Ｌ」をもつパルス状の送信データを出力し、送受信回路部６に通電又は遮断される直流電流の有無を受信検出部８で取り込むのである。
【０００８】
信号を室外機１から室内機２へ送信する場合には、まず室内機送信用スイッチ部７を常時オンとし、その状態で室外機の送信スイッチ部７をオン／オフさせることにより室内機の受信検出部８をオン／オフさせて信号を伝達する。
【０００９】
信号を室内機２から室外機１へ送信する場合には、まず室外機送信用スイッチ部７を常時オンとし、その状態で室内機の送信スイッチ部７をオン／オフさせることにより室外機の受信検出部８をオン／オフさせて信号を伝達する。
【００１０】
次に、信号線路５と電源線路Ｓに誤って商用電源が接続された場合の動作について説明する。
（１）室外機１の信号線路５と電源線路Ｓ間に商用電源が配線された場合の保護（１−１）信号線路５が正で電源線路Ｓが負の期間
この場合はダイオードＤ２がオフで電流が流れないので、室外機の送信スイッチ部７、室外機の受信検出部８の保護は問題ない。
（１−２）信号線路５が負で電源線路Ｓが正の期間
この場合は室外機の送信スイッチ部７、室外機の受信検出部８に高電圧がかかるが、高耐圧の送信スイッチ部７と高耐圧のダイオードにより、室外機の送信スイッチ部７、室外機の受信検出部８を保護することができる。
【００１１】
（２）室内機２の信号線路５と電源線路Ｓ間に商用電源が配線された場合の保護（２−１）信号線路５が正で電源線路Ｓが負の期間
ダイオードＤ３がオンするが、抵抗Ｒ３とツェナーダイオードＺＤ２により室内機２の送受信回路部６にかかる電圧が３０Ｖ程度に低下するので室内機の送信スイッチ部７、室内機の受信検出部８が保護される。
（２−２）信号線路５が負で電源線路Ｓが正の期間
ダイオードＤ３はオフして、全電圧がダイオードＤ３にかかり、ツェナーダイオードＺＤ２にはＶＦ分（約１Ｖ）程度しかかからないので室内機の送信スイッチ部７、室内機の受信検出部８を保護することができる。
【００１２】
また、信号線路５と商用電源線路Ｓ間が誤って短絡された場合には、室外機１のみ送受信回路部６→ダイオードＤ２→抵抗Ｒ２の順に短絡電流が流れるが、抵抗Ｒ２により電流が制限されて室外機の送信スイッチ部７、室外機の受信検出部８、ダイオードＤ２を保護する。
【００１３】
【発明が解決しようとする課題】
従来のマルチ式空気調和機の運転制御装置は以上のように構成されているので、一対の商用電源線路Ｒ、Ｓのほかに１本の信号路線５のみを用いるだけで、室外機１と複数の室内機２〜４との間で、相互にデータの送信及び受信を可能にした。
【００１４】
しかしながら、図９に示すように、商用電源線路Ｓと信号線路５との間の線間静電容量に起因する配線間の誘起電圧１１が発生し、室外機の送信スイッチ部７が動作していないときに、信号線路５、抵抗Ｒ３、ダイオードＤ３、室内機の送信スイッチ部７、室内機の受信検出部８、商用電源線路Ｓの１０−１の経路で電流が流れ、室内機の受信検出部８が誤検出をするという問題点があった。
【００１５】
また、図１０に示すように、室内機負荷電流が商用電源線路Ｓに流れることにより、商用電源線路Ｓに誘導電圧１２が発生し、室外機の送信スイッチ部７が動作していないときに、信号線路５、抵抗Ｒ３、ダイオードＤ３、室内機の送信スイッチ部７、室内機の受信検出部８、商用電源線路Ｓ、線間静電容量１３の１０−３の経路で電流が流れ、室内機の受信検出部８が誤検出をするという問題点があった。
【００１６】
また、図１１に示すように、商用電源線路Ｓと信号線路５との間の線間静電容量に起因する配線間の誘起電圧１１が発生し、室内機の送信スイッチ部７が動作していないときに商用電源線路Ｓ、コンデンサＣ１、室外機の送信スイッチ部７、室外機の受信検出部８、抵抗Ｒ２、ダイオードＤ２の経路で電流が流れ、室外機の受信検出部８が誤検出をするという問題点があった。
【００１７】
この発明は上記のような問題点を解消するためになされたもので、一対の商用電源線路と１本の信号線路を介して、室外機と室内機相互間で送受信を行う場合、商用電源線路と信号線路との間の線間静電容量に起因する配線間の誘起電圧により、または負荷電流が商用電源線路に流れることにより商用電源線路に発生する電圧が発生により、室内機もしくは室外機の受信検出部が誤検出するのを防ぐことを目的とする。
【００１８】
【課題を解決するための手段】
この発明に係る空気調和機の運転制御装置は、室外機と室内機を有し、室外機と室内機間で運転制御のためのデータ伝送を一本の信号線でデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、室外機の信号線路と一方の商用電源線路間に、室外機の送受信回路部と並列にスイッチ部と電流を制限する抵抗を直列に接続した回路を設けたことを特徴とする。
【００１９】
また、この発明に係る空気調和機の運転制御装置は、スイッチ部はデジタルトランジスタを介して、室外機の送信スイッチ部と反転の論理で動作するように接続されていることを特徴とする。
【００２０】
また、この発明に係る空気調和機の運転制御装置は、室外機と室内機を有し、室外機と室内機間で運転制御のためのデータ伝送を一本の信号線でデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことを特徴とする。
【００２１】
また、この発明に係る空気調和機の運転制御装置は、室外機と室内機を有し、室外機と室内機間で運転制御のためのデータ伝送を一本の信号線でデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、室内機の信号線路と一方の商用電源線路間に、室内機の直流電源、抵抗及びスイッチ部とを直列につないだ経路を送受信回路部と別経路で設け、室外機の信号線路と一方の商用電源線路間にツェナーダイオードを設けたことを特徴とする。
【００２２】
また、この発明に係る空気調和機の運転制御装置は、室内機の直流電源をコンデンサ、ツェナーダイオードにより構成したことを特徴とする。
【００２３】
また、この発明に係る空気調和機の運転制御装置は、スイッチ部はデジタルトランジスタを介して、室内機の送信スイッチ部と反転の論理で動作するように接続されていることを特徴とする。
【００２４】
また、この発明に係る空気調和機の運転制御装置は、スイッチ部をフォトカプラで構成したことを特徴とする。
【００２５】
また、この発明に係る空気調和機の運転制御装置は、室外機と室内機を有し、室外機と室内機間で運転制御のためのデータ伝送を一本の信号線でデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、室外機の信号線路と一方の商用電源線路間に、室外機の送受信回路部と並列にスイッチ部と電流を制限する抵抗を直列に接続した回路を設け、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことを特徴とする。
【００２６】
また、この発明に係る空気調和機の運転制御装置は、室外機と室内機を有し、室外機と室内機間で運転制御のためのデータ伝送を一本の信号線でデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、室外機の信号線路と一方の商用電源線路間に、室外機の送受信回路部と並列にスイッチ部と電流を制限する抵抗を直列に接続した回路を設け、室内機の信号線路と一方の商用電源線路間に、室内機の直流電源、抵抗及びスイッチ部とを直列につないだ経路を送受信回路部と別経路で設け、室外機の信号線路と一方の商用電源線路間にツェナーダイオードを設けたことを特徴とする。
【００２７】
また、この発明に係る空気調和機の運転制御装置は、室外機と室内機を有し、室外機と室内機間で運転制御のためのデータ伝送を一本の信号線でデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、室外機の信号線路と一方の商用電源線路間に、室外機の送受信回路部と並列にスイッチ部と電流を制限する抵抗を直列に接続した回路を設け、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備え、室内機の信号線路と一方の商用電源線路間に、室内機の直流電源、抵抗及びスイッチ部とを直列につないだ経路を送受信回路部と別経路で設け、室外機の信号線路と一方の商用電源線路間にツェナーダイオードを設けたことを特徴とする。
【００２８】
また、この発明に係る空気調和機の運転制御装置は、室外機と室内機を有し、室外機と室内機間で運転制御のためのデータ伝送を一本の信号線でデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えた空気調和機の運転制御装置において、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備え、室内機の信号線路と一方の商用電源線路間に、室内機の直流電源、抵抗及びスイッチ部とを直列につないだ経路を送受信回路部と別経路で設け、室外機の信号線路と一方の商用電源線路間にツェナーダイオードを設けたことを特徴とする。
【００２９】
この発明に係るマルチ式空気調和機の運転制御装置は、室外機と複数台の室内機を有し、室外機と室内機間で運転制御のためのデータ伝送を一本の信号線で複数のデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、室外機の信号線路と一方の商用電源線路間に、室外機の送受信回路部と並列にスイッチ部と電流を制限する抵抗を直列に接続した回路を設けたことを特徴とする。
【００３０】
また、この発明に係るマルチ式空気調和機の運転制御装置は、スイッチ部をフォトカプラで構成したことを特徴とする。
【００３１】
また、この発明に係るマルチ式空気調和機の運転制御装置は、スイッチ部はデジタルトランジスタを介して、室外機の送信スイッチ部と反転の論理で動作するように接続されていることを特徴とする。
【００３２】
また、この発明に係るマルチ式空気調和機の運転制御装置は、室外機と複数台の室内機を有し、室外機と室内機間で運転制御のためのデータ伝送を一本の信号線で複数のデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことを特徴とする。
【００３３】
また、この発明に係るマルチ式空気調和機の運転制御装置は、室外機と複数台の室内機を有し、室外機と室内機間で運転制御のためのデータ伝送を一本の信号線で複数のデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、室内機の信号線路と一方の商用電源線路間に、室内機の直流電源、抵抗Ｒ５及びスイッチ部とを直列につないだ経路を送受信回路部と別経路で設けると共に、室外機の信号線路と一方の商用電源線路間にツェナーダイオードを設け、室外機の送受信回路部に設けた誤配線時に室外機の受信検出部を保護するための抵抗Ｒ２、室内機の送受信回路部に設けた誤配線時に室内機の受信検出部を保護するための抵抗Ｒ３、及び抵抗Ｒ５の３個の抵抗の定数を調節して、信号線路と一方の商用電源線路間の電圧を前記ツェナーダイオードのツェナー電圧未満とすることにより、複数の室内機との通信を可能としたことを特徴とする。
【００３４】
また、この発明に係るマルチ式空気調和機の運転制御装置は、室内機の直流電源をコンデンサ、ツェナーダイオードにより構成したことを特徴とする。
【００３５】
また、この発明に係るマルチ式空気調和機の運転制御装置は、スイッチ部はデジタルトランジスタを介して、室内機の送信スイッチ部と反転の論理で動作するように接続されていることを特徴とする。
【００３６】
また、この発明に係るマルチ式空気調和機の運転制御装置は、室内機の直流電源に接続された前記スイッチ部をフォトカプラで構成したことを特徴とする。
【００３７】
また、この発明に係るマルチ式空気調和機の運転制御装置は、室外機と複数台の室内機を有し、室外機と室内機間で運転制御のためのデータ伝送を一本の信号線で複数のデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、室外機の信号線路と一方の商用電源線路間に、室外機の送受信回路部と並列にスイッチ部と電流を制限する抵抗を直列に接続した回路を設け、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことを特徴とする。
【００３８】
また、この発明に係るマルチ式空気調和機の運転制御装置は、室外機と複数台の室内機を有し、室外機と室内機間で運転制御のためのデータ伝送を一本の信号線で複数のデータを伝送するシリアル伝送システムにより行うもので、前記室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、室外機の信号線路と一方の商用電源線路間に、室外機の送受信回路部と並列にスイッチ部と電流を制限する抵抗を直列に接続した回路を設け、室内機の信号線路と一方の商用電源線路間に、室内機の直流電源、抵抗Ｒ５及びスイッチ部とを直列につないだ経路を送受信回路部と別経路で設けると共に、室外機の信号線路と一方の商用電源線路間にツェナーダイオードを設け、室外機の送受信回路部に設けた誤配線時に室外機の受信検出部を保護するための抵抗Ｒ２、室内機の送受信回路部に設けた誤配線時に室内機の受信検出部を保護するための抵抗Ｒ３、及び抵抗Ｒ５の３個の抵抗の定数を調節して、信号線路と一方の商用電源線路間の電圧をツェナーダイオードのツェナー電圧未満とすることにより、複数の室内機との通信を可能としたことを特徴とする。
【００３９】
また、この発明に係るマルチ式空気調和機の運転制御装置は、室外機と複数台の室内機を有し、室外機と室内機間で運転制御のためのデータ伝送を一本の信号線で複数のデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、室外機の信号線路と一方の商用電源線路間に、室外機の送受信回路部と並列にスイッチ部と電流を制限する抵抗を直列に接続した回路を設け、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備え、室内機の信号線路と一方の商用電源線路間に、室内機の直流電源、抵抗Ｒ５及びスイッチ部とを直列につないだ経路を送受信回路部と別経路で設けると共に、室外機の信号線路と一方の商用電源線路間にツェナーダイオードを設け、室外機の送受信回路部に設けた誤配線時に室外機の受信検出部を保護するための抵抗Ｒ２、室内機の送受信回路部に設けた誤配線時に室内機の受信検出部を保護するための抵抗Ｒ３、及び抵抗Ｒ５の３個の抵抗の定数を調節して、信号線路と一方の商用電源線路間の電圧を前記ツェナーダイオードのツェナー電圧未満とすることにより、複数の室内機との通信を可能としたことを特徴とする。
【００４０】
また、この発明に係るマルチ式空気調和機の運転制御装置は、室外機と複数台の室内機を有し、室外機と室内機間で運転制御のためのデータ伝送を一本の信号線で複数のデータを伝送するシリアル伝送システムにより行うもので、室外機に設けられた直流電源部に接続され、送信スイッチ部及び受信検出部を有する室外機の送受信回路部と、この室外機の送受信回路部を介して直列に接続され、送信スイッチ部及び受信検出部を有する室内機の送受信回路部を備えたマルチ式空気調和機の運転制御装置において、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備え、室内機の信号線路と一方の商用電源線路間に、室内機の直流電源、抵抗Ｒ５及びスイッチ部とを直列につないだ経路を送受信回路部と別経路で設けると共に、室外機の信号線路と一方の商用電源線路間にツェナーダイオードを設け、室外機の送受信回路部に設けた誤配線時に室外機の受信検出部を保護するための抵抗Ｒ２、室内機の送受信回路部に設けた誤配線時に室内機の受信検出部を保護するための抵抗Ｒ３、及び抵抗Ｒ５の３個の抵抗の定数を調節して、信号線路と一方の商用電源線路間の電圧をツェナーダイオードのツェナー電圧未満とすることにより、複数の室内機との通信を可能としたことを特徴とする。
【００４１】
【発明の実施の形態】
以下、この発明の実施の形態を図面に基づいて説明する。
実施の形態１．
図８で説明した従来の室外機１と室内機２のデータの伝送のために信号線路５と一方の商用電源線路Ｓを並列に接続し、室内機の送受信回路部６及び室外機の送受信回路部６を直列に接続された回路では、室外機の送信スイッチ部７がオフ、室内機の送信スイッチ部７がオンの状態で、信号線路５と商用電源線路Ｓ間に結合容量による誘起電圧１１が発生すると、図９に示したように回路インピーダンスの最も小さい信号線路５、抵抗Ｒ３、ダイオードＤ３、室内機の送信スイッチ部７、室内機の受信検出部８、商用電源線路Ｓの１０−１の経路で電流が流れ、室内機の受信検出部８が誤検出してしまう。そこで別途低インピーダンスの経路を設け、室外機の送信スイッチ部７がオフ時に、その別経路に電流を流し、信号線路５と商用電源線路Ｓ間電圧を低減させ、誤検出を防止可能にしたものである。
【００４２】
図１、２は実施の形態１を示す図で、図１はマルチ式空気調和機の運転制御装置の回路図、図２はマルチ式空気調和機の運転制御装置の動作説明図である。図１において、Ｒ４、ＰＣ１、ＴＲ１以外は従来の技術の図８と同一又は相当部分であり、説明は省略する。抵抗Ｒ４とスイッチ部としてフォトカプラＰＣ１が信号線路５と商用電源線路Ｓ間に直列に接続されている。フォトカプラＰＣ１はデジタルトランジスタＴＲ１を介して、室外機の送信スイッチ部７と反転の論理で動作するように接続されている。抵抗Ｒ４は室内機の受信検出部８が誤検出するときに電流が流れる経路のインピーダンスに比べ、十分小さい抵抗値になっている。
【００４３】
次に室外機の送信スイッチ部７が動作していないときに、信号線路５と商用電源線路Ｓ間の線間静電容量に起因する配線間の誘起電圧により発生する電流に基因する室内機の受信検出部８の誤検出を防止した回路について、その動作を図２により説明する。信号線路５と商用電源線路Ｓに抵抗Ｒ４とフォトカプラＰＣ１が直列に接続されている。抵抗Ｒ４は誤検出時に流れる電流経路のインピーダンスに比べ十分小さい抵抗値であり、フォトカプラＰＣ１はデジタルトランジスタＴＲ１を介して、室外機の送信スイッチ部７と反転の論理で動作するように接続されているので、室外機の送信スイッチ部７がオンのときにオフ、オフのときにオンとなる。そのため室外機の送信スイッチ部７オフ、室内機の送信スイッチ部７オンの状態においては、フォトカプラＰＣ１がオンとなり、誘起電圧１１による電流は回路インピーダンスの小さい１０−２の閉回路に流れる。これにより、室外機の送信スイッチ部７がオフのときに室内機の受信検出部８に誤って電流が流れることはなく、室内機の受信検出部８の誤検出を防止できる。
【００４４】
また室外機の送信スイッチ部７オン、室内機の送信スイッチ部７オンの状態においては、フォトカプラＰＣ１はオフであるため、室外コントローラ９からの信号は室内コントローラ９に伝達される。
【００４５】
この実施の形態によれば、室外機の送信スイッチ部７がオフの状態においては、信号線路５と商用電源線路Ｓの配線間の静電容量により配線間に誘起電圧１１が発生しても、配線間に室外機の送信スイッチ部７がオフのときにオンとなるフォトカプラＰＣ１と抵抗Ｒ４を直列につないだ経路を別に設けたので、配線間のインピーダンスをアクティブに低減し、別経路に電流を流すことにより、室内機の送受信回路部６に電流が流れるのを防ぎ、室内機の受信検出部８が誤ってオンになるのを防ぐことができる。
【００４６】
上記実施の形態１では、マルチ式空気調和機の運転制御装置を例に挙げて説明したが、室外機と室内機が１対１の空気調和機の運転制御装置にも適用される。
【００４７】
実施の形態２．
図８で説明した従来の室外機１と室内機２のデータの伝送のために信号線路５と一方の商用電源線路Ｓを並列に接続し、室内機の送受信回路部６及び室外機の送受信回路部６を直列に接続された回路では、図１０に示したように室内機運転電流が商用電源線路Ｓに流れることにより商用電源線路Ｓに誘導電圧１２が発生すると、室内機の受信検出部８に電流が流れ、誤検出してしまう。そこで室内機の送受信回路部６にツェナーダイオードを設け、ツェナー電圧までの電圧をカットし、誤検出を防止可能にしたものである。
【００４８】
図３は実施の形態２を示す図で、マルチ式空気調和機の運転制御装置の回路図である。図に示すように、室内機の送受信回路部６にツェナーダイオードＺＤ３を設ける。ＺＤ３以外は従来の技術の図８と同一又は相当部分であり、説明は省略する。
【００４９】
次に室内機運転電流が商用電源線路Ｓに流れることにより商用電源線路Ｓに線路電圧が発生して電流が流れることによる室内機の受信検出部８の誤検出を防止した回路について、その動作を説明する。室内機の送受信回路部６にツェナーダイオードＺＤ３を設けることにより、商用電源線路Ｓに線路電圧が発生したときに、ツェナーダイオードＺＤ３両端にかかる電圧がツェナー電圧より大きくなるまで、図８で示した電流経路１０−３を流れる電流をカットすることができる。これにより、室内機の受信検出部８に誤って電流が流れることはなく、室内機の受信検出部８の誤検出を防止できる。
【００５０】
また室外機の送信スイッチ部７オン、室内機の送信スイッチ部７オンの状態においては、ツェナーダイオードＺＤ３にはツェナー電圧以上の電圧がかかるため、室内機の送受信回路部６には電流が流れ、室外コントローラ９からの信号は室内コントローラ９に伝達される。
【００５１】
この実施の形態によれば、室外機の送信スイッチ部７がオフの状態においては、商用電源線路Ｓに運転電流が流れることで商用電源線路Ｓに誘導電圧１２が発生しても、室内機の送受信回路部６にツェナーダイオードＺＤ３を設けたので、室内機の送受信回路部６に電流が流れるのを防ぎ、室内機の受信検出部８が誤ってオンになるのを防ぐことができる。
【００５２】
上記実施の形態２では、マルチ式マルチ式空気調和機の運転制御装置を例に挙げて説明したが、室外機と室内機が１対１の空気調和機の運転制御装置にも適用される。
【００５３】
実施の形態３．
図８で説明した従来の室外機１と室内機２のデータの伝送のために信号線路５と一方の商用電源線路Ｓを並列に接続し、室内機の送受信回路部６及び室外機の送受信回路部６を直列に接続された回路では、室内機の送信スイッチ部７がオフ、室外機の送信スイッチ部７がオンの状態で、図１１に示したように信号線路５と商用電源線路Ｓ間に結合容量による誘起電圧１１が発生すると、商用電源線路Ｓ、コンデンサＣ１、室外機の送信スイッチ部７、室外機の受信検出部８、抵抗Ｒ２、ダイオードＤ２、信号線路５の経路で電流が流れ、室外機の受信検出部８が誤検出してしまう。そこで室内に別の電源を設け、室外機の送信スイッチ部７がオフ時に、前記とは別経路に電流を流し、信号線路５と商用電源線路Ｓ間の電圧を安定させ、商用電源線路Ｓの極性が正になることがないようにして、誤検出を防止可能にしたものである。
【００５４】
図４、５は実施の形態３を示す図で、図４はマルチ式空気調和機の運転制御装置の回路図、図５はマルチ式空気調和機の運転制御装置の動作説明図である。図４において、ＰＣ２、ＴＲ２、ＺＤ４、ＺＤ５、Ｃ４、Ｒ５以外は従来の技術の図８と同一又は相当部分であり、説明は省略する。室内機にコンデンサＣ４、ツェナーダイオードＺＤ４により直流電源を設ける。フォトカプラＰＣ２はデジタルトランジスタＴＲ２を介して、室内機の送信スイッチ部７と反転の論理で動作するように接続されている。ツェナーダイオードＺＤ５を信号線路５と商用電源線路Ｓ間に設ける。室内機の直流電源とフォトカプラＰＣ２の間に抵抗Ｒ５を設ける。
【００５５】
次に信号線路５と商用電源線路Ｓ間の静電容量による配線間の誘起電圧１１による室外機の受信検出部８の誤検出を防止した回路について、その動作を図５により説明する。室内機にコンデンサＣ４、ツェナーダイオードＺＤ４により直流電源を設ける。フォトカプラＰＣ２はデジタルトランジスタＴＲ２を介して、室内機の送信スイッチ部７と反転の論理で動作するように接続されているので、室内機の送信スイッチ部７がオンのときにオフ、オフのときにオンとなる。
【００５６】
そのため室内機の送信スイッチ部７オフ、室外機の送信スイッチ部７オンの状態においては、フォトカプラＰＣ２がオンとなり、電流は１０−６の経路で流れる。その際の電流の大きさは抵抗Ｒ５によって制限される。またツェナーダイオードＺＤ５によって信号線路５と商用電源線路Ｓ間の電圧を直流電源電圧より大きいツェナー電圧で固定している。これにより、室内機の送信スイッチ部７がオフのときに室外機の受信検出部８に誤って電流が流れることはなく、室外機の受信検出部８の誤検出を防止できる。
【００５７】
また、室内機の送信スイッチ部７オン、室外機の送信スイッチ部７オンの状態においては、フォトカプラＰＣ２はオフであるため、室内コントローラ９からの信号は室外コントローラ９に伝達される。
【００５８】
この実施の形態によれば、室内機の送信スイッチ部７がオフの状態においては、信号線路５と商用電源線路Ｓ間の静電容量により配線間に誘起電圧１１が発生しても、室内機２にコンデンサＣ４、ツェナーダイオードＺＤ４により直流電源と、室内機の送信スイッチ部７がオフのときにオンとなるフォトカプラＰＣ２及び抵抗Ｒ５を直列につないだ経路を送受信回路部６と別経路で設け、室外機の信号線路５と商用電源線路Ｓ間にツェナーダイオードＺＤ５を設けたので、信号線路５と商用電源線路Ｓ間の電圧を一定で固定させることができ、さらに誘起電圧１１による電流を別経路で安定させることにより、室外機の送受信回路部６に電流が流れるのを防ぎ、室外機の受信検出部８が誤ってオンになるのを防ぐことができる。
【００５９】
上記実施の形態３は、室外機と室内機が１対１の空気調和機の運転制御装置に適用されるものである。
【００６０】
実施の形態４．
実施の形態３で説明した装置では、配線間の静電容量による配線間誘起電圧の発生に対し、１対１式の空気調和機においては室外機の受信検出部８が誤検出するのを防ぐことができるが、複数台の室内機を備えるマルチ式空気調和機においては、他の室内機の信号を室外機が受信できない。そこで室外機の送受信回路部６の抵抗Ｒ２、室内機の送受信回路部６の抵抗Ｒ３、及び抵抗Ｒ５の定数を検討する必要がある。
【００６１】
図４に示した実施の形態３の装置では、室内機のうちの１台（例えば室内機２）が送信スイッチ部７をオフとすると、前記動作により室外機１の信号線路５と商用電源線路Ｓ間がツェナーダイオードＺＤ５のツェナー電圧に固定されるため、室外機１は他の室内機（例えば室内機３）の信号を受信できない。
【００６２】
本実施の形態では、室外機の送受信回路部６の抵抗Ｒ２、室内機の送受信回路部６の抵抗Ｒ３、及びＲ５の定数を調節することにより、信号線路５と商用電源線路Ｓ間の電圧をツェナー電圧未満とすることができ、通信を可能とするものである。
【００６３】
図６、７は実施の形態４を示す図で、図６は信号線路と商用電源線路Ｓ間の電圧を求めるための等価回路を示す図、図７は信号線路と商用電源線路Ｓ間の電圧の計算結果である。
【００６４】
信号線路５と商用電源線路Ｓ間の電圧Ｖｉｎを、図６の等価回路により求める計算式を以下に示す。
図６（ａ）の矢印の経路で流れる電流を、Ｉ１、Ｉ２、Ｉ３と置き、Ｖｉｎを式で表しますと、
Ｖｉｎ＝Ｖ（ＺＤ３）＋ＶＦ＋ＰＣ＿ＶＦ＋ＰＣ＿ＶＣＥ＋Ｒ３＊Ｉ３
それぞれの電流は、
Ｉ３＝Ｉ１＋Ｉ２
Ｉ１＝［（Ｖ（ＺＤ４）−Ｖｉｎ−ＶＦ−ＰＣ＿ＶＣＥ）／Ｒ５］＊ａ
Ｉ２＝［Ｖ（ＺＤ１）−Ｖｉｎ−ＶＦ−ＰＣ＿ＶＦ−ＰＣ＿ＶＣＥ］／Ｒ２
となる。
【００６５】
Ｉ１〜Ｉ３をＶｉｎの式に代入すると、
Ｖｉｎ＝Ｖ（ＺＤ３）＋ＶＦ＋ＰＣ＿ＶＦ＋ＰＣ＿ＶＣＥ＋Ｒ３＊［［（Ｖ（ＺＤ４）−Ｖｉｎ−ＶＦ−ＰＣ＿ＶＣＥ）／Ｒ５］＊ａ＋［Ｖ（ＺＤ１）−Ｖｉｎ−ＶＦ−ＰＣ＿ＶＦ−ＰＣ＿ＶＣＥ）／Ｒ２］
（１＋ａ＊Ｒ３／Ｒ５＋Ｒ３／Ｒ２）＊Ｖｉｎ＝Ｖ（ＺＤ３）＋ＶＦ＋ＰＣ＿ＶＦ＋ＰＣ＿ＶＣＥ＋［（（Ｖ（ＺＤ４）−ＶＦ−ＰＣ＿ＶＣＥ）／Ｒ５）＊ａ＋（Ｖ（ＺＤ１）−ＶＦ−ＰＣ＿ＶＦ−ＰＣ＿ＶＣＥ）／Ｒ２］＊Ｒ３
Ｖｉｎ＝Ｖ（ＺＤ３）＋ＶＦ＋ＰＣ＿ＶＦ＋ＰＣ＿ＶＣＥ＋［（（Ｖ（ＺＤ４）−ＶＦ−ＰＣ＿ＶＣＥ）／Ｒ５）＊ａ＋（Ｖ（ＺＤ１）−ＶＦ−ＰＣ＿ＶＦ−ＰＣ＿ＶＣＥ）／Ｒ３］＊Ｒ２／（１＋ａ＊Ｒ２／Ｒ５＋Ｒ２／Ｒ３）
とＶｉｎが求められる。
ここで、
Ｖ（ＺＤ１）、Ｖ（ＺＤ３）、Ｖ（ＺＤ４）はそれぞれのツェナーダイオードの逆方向電圧
ＶＦはダイオードＤ３の順方向電圧
ＰＣ＿ＶＦはフォトカプラの入力側ダイオードの順方向電圧
ＰＣ＿ＶＣＥはフォトカプラＰＣ２の出力側のコレクタ−エミッタ間電圧
ａは（室内機の台数−１）であり、室内機２台ならａ＝１、３台ならａ＝２である。
またこの計算には、図３で示したＺＤ３が回路に加わっている。
【００６６】
上記の計算式を用いて、試算した結果を図７に示す。図に示すように、Ｖｉｎ＜Ｖ（ＺＤ５）となり、ツェナー電圧以下にできる。
【００６７】
上記実施の形態１〜４は、それらを組み合わせて使用することができ、それにより製品の信頼性を一層向上させることができる。具体的には、室外機と室内機が１対１の空気調和機の運転制御装置では実施の形態１〜３、マルチ式空気調和機の運転制御装置では実施の形態１、２、４を組み合わせて使用することにより、製品の信頼性を一層向上させることができる。
【００６８】
【発明の効果】
この発明に係る空気調和機の運転制御装置は、室外機の信号線路と一方の商用電源線路間に、室内機の送受信回路部と並列にスイッチ部と電流を制限する抵抗を直列に接続した回路を設けたことにより、信号線路と商用電源線路間のインピーダンスをアクティブに低減でき、信号線路と商用電源線路間に配線間静電容量により電圧が発生しても、室内機の送受信回路部を電流が流れることはなく、室内機の受信検出部が誤検出することを防止できる。
【００６９】
また、この発明に係る空気調和機の運転制御装置は、スイッチ部はデジタルトランジスタを介して、室外機の送信スイッチ部と反転の論理で動作するように接続されていることにより、室外機の送信スイッチ部がオフのときに、室内機受信検出部に誤って電流が流れることがなく、室外機の送信スイッチ部がオンのときは、通常の送受信を可能とする。
【００７０】
また、この発明に係る空気調和機の運転制御装置は、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことにより、商用電源線路を流れる負荷電流により誘導される電圧が商用電源線路に発生しても、室内機の送受信回路部を電流が流れることはなく、室内機の受信検出部が誤検出することを防止できる。
【００７１】
また、この発明に係る空気調和機の運転制御装置は、室内機の信号線路と一方の商用電源線路間に、室内機の直流電源、抵抗及びスイッチ部とを直列につないだ経路を送受信回路部と別経路で設け、室外機の信号線路と一方の商用電源線路間にツェナーダイオードを設けたことにより、信号線路と商用電源線路間に配線間静電容量により電圧が発生しても、配線間の電圧を一定で固定させることができ、さらに誘起電圧による電流を別経路で安定させることにより、室外機の送受信回路部に電流が流れることはなく、室外機の受信検出部が誤検出することを防止できる。
【００７２】
また、この発明に係る空気調和機の運転制御装置は、室内機の直流電源をコンデンサ、ツェナーダイオードにより構成したことにより、信頼性を高めることができる。
【００７３】
また、この発明に係る空気調和機の運転制御装置は、スイッチ部はデジタルトランジスタを介して、室内機の送信スイッチ部と反転の論理で動作するように接続されていることにより、室内機の送信スイッチ部がオフのときに、信号線路と商用電源線路間に配線間静電容量により電圧が発生しても、室外機の受信検出部が誤検出することを防止でき、室内機の送信スイッチ部がオンのときに、通常の送受信を可能とする。
【００７４】
また、この発明に係る空気調和機の運転制御装置は、スイッチ部をフォトカプラで構成したことにより、信頼性を高めることができる。
【００７５】
また、この発明に係る空気調和機の運転制御装置は、室外機の信号線路と一方の商用電源線路間に、室外機の送受信回路部と並列にスイッチ部と電流を制限する抵抗を直列に接続した回路を設け、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことにより、信号線路と商用電源線路間のインピーダンスをアクティブに低減でき、信号線路と商用電源線路間に配線間静電容量により電圧が発生しても、室内機の送受信回路部を電流が流れることはなく、室内機の受信検出部が誤検出することを防止でき、また商用電源線路を流れる負荷電流により誘導される電圧が商用電源線路に発生しても、室内機の送受信回路部を電流が流れることはなく、室内機の受信検出部が誤検出することを防止できる。
【００７６】
また、この発明に係る空気調和機の運転制御装置は、室外機の信号線路と一方の商用電源線路間に、室外機の送受信回路部と並列にスイッチ部と電流を制限する抵抗を直列に接続した回路を設け、室内機の信号線路と一方の商用電源線路間に、室内機の直流電源、抵抗及びスイッチ部とを直列につないだ経路を送受信回路部と別経路で設け、室外機の信号線路と一方の商用電源線路間にツェナーダイオードを設けたことにより、信号線路と商用電源線路間のインピーダンスをアクティブに低減でき、信号線路と商用電源線路間に配線間静電容量により電圧が発生しても、室内機の送受信回路部を電流が流れることはなく、室内機の受信検出部が誤検出することを防止でき、また信号線路と商用電源線路間に配線間静電容量により電圧が発生しても、配線間の電圧を一定で固定させることができ、さらに誘起電圧による電流を別経路で安定させることにより、室外機の送受信回路部に電流が流れることはなく、室外機の受信検出部が誤検出することを防止できる。
【００７７】
また、この発明に係る空気調和機の運転制御装置は、室外機の信号線路と一方の商用電源線路間に、室外機の送受信回路部と並列にスイッチ部と電流を制限する抵抗を直列に接続した回路を設け、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備え、室内機の信号線路と一方の商用電源線路間に、室内機の直流電源、抵抗及びスイッチ部とを直列につないだ経路を送受信回路部と別経路で設け、室外機の信号線路と一方の商用電源線路間にツェナーダイオードを設けたことにより、信号線路と商用電源線路間のインピーダンスをアクティブに低減でき、信号線路と商用電源線路間に配線間静電容量により電圧が発生しても、室内機の送受信回路部を電流が流れることはなく、室内機の受信検出部が誤検出することを防止でき、また商用電源線路を流れる負荷電流により誘導される電圧が商用電源線路に発生しても、室内機の送受信回路部を電流が流れることはなく、室内機の受信検出部が誤検出することを防止でき、さらに信号線路と商用電源線路間に配線間静電容量により電圧が発生しても、配線間の電圧を一定で固定させることができ、さらに誘起電圧による電流を別経路で安定させることにより、室外機の送受信回路部に電流が流れることはなく、室外機の受信検出部が誤検出することを防止できる。
【００７８】
また、この発明に係る空気調和機の運転制御装置は、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備え、室内機の信号線路と一方の商用電源線路間に、室内機の直流電源、抵抗及びスイッチ部とを直列につないだ経路を送受信回路部と別経路で設け、室外機の信号線路と一方の商用電源線路間にツェナーダイオードを設けたことにより、商用電源線路を流れる負荷電流により誘導される電圧が商用電源線路に発生しても、室内機の送受信回路部を電流が流れることはなく、室内機の受信検出部が誤検出することを防止でき、さらに信号線路と商用電源線路間に配線間静電容量により電圧が発生しても、配線間の電圧を一定で固定させることができ、また誘起電圧による電流を別経路で安定させることにより、室外機の送受信回路部に電流が流れることはなく、室外機の受信検出部が誤検出することを防止できる。
【００７９】
この発明に係るマルチ式空気調和機の運転制御装置は、室外機の信号線路と一方の商用電源線路間に、室内機の送受信回路部と並列にスイッチ部と電流を制限する抵抗を直列に接続した回路を設けたことにより、信号線路と商用電源線路間のインピーダンスをアクティブに低減でき、信号線路と商用電源線路間に配線間静電容量により電圧が発生しても、室内機の送受信回路部を電流が流れることはなく、室内機の受信検出部が誤検出することを防止できる。
【００８０】
また、この発明に係るマルチ式空気調和機の運転制御装置は、スイッチ部をフォトカプラで構成したことにより、信頼性を高めることができる。
【００８１】
また、この発明に係るマルチ式空気調和機の運転制御装置は、スイッチ部はデジタルトランジスタを介して、室外機の送信スイッチ部と反転の論理で動作するように接続されていることにより、室外機の送信スイッチ部がオフのときに、室内機受信検出部に誤って電流が流れることがなく、室外機の送信スイッチ部がオンのときは、通常の送受信を可能とする。
【００８２】
また、この発明に係るマルチ式空気調和機の運転制御装置は、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことにより、商用電源線路を流れる負荷電流により誘導される電圧が商用電源線路に発生しても、室内機の送受信回路部を電流が流れることはなく、室内機の受信検出部が誤検出することを防止できる。
【００８３】
また、この発明に係るマルチ式空気調和機の運転制御装置は、室内機の信号線路と一方の商用電源線路間に、室内機の直流電源、抵抗Ｒ５及びスイッチ部とを直列につないだ経路を送受信回路部と別経路で設けると共に、室外機の信号線路と一方の商用電源線路間にツェナーダイオードを設け、室外機の送受信回路部に設けた誤配線時に室外機の受信検出部を保護するための抵抗Ｒ２、室内機の送受信回路部に設けた誤配線時に室内機の受信検出部を保護するための抵抗Ｒ３、及び抵抗Ｒ５の３個の抵抗の定数を調節して、信号線路と一方の商用電源線路間の電圧を前記ツェナーダイオードのツェナー電圧未満とすることにより、複数の室内機との通信を可能としたことにより、信号線路と商用電源線路間に配線間静電容量により電圧が発生しても、配線間の電圧を一定で固定させることができ、さらに誘起電圧による電流を別経路で安定させることにより、室外機の送受信回路部に電流が流れることはなく、室外機の受信検出部が誤検出することを防止できると共に、送受信回路の抵抗の定数を調節することにより、複数の室内機を備えたマルチ式空気調和機にも適用することができる。
【００８４】
また、この発明に係るマルチ式空気調和機の運転制御装置は、室内機の直流電源をコンデンサ、ツェナーダイオードにより構成したことにより、信頼性を高めることができる。
【００８５】
また、この発明に係るマルチ式空気調和機の運転制御装置は、スイッチ部はデジタルトランジスタを介して、室内機の送信スイッチ部と反転の論理で動作するように接続されていることにより、室内機の送信スイッチ部がオフのときに、信号線路と商用電源線路間に配線間静電容量により電圧が発生しても、室外機の受信検出部が誤検出することを防止でき、室内機の送信スイッチ部がオンのときに、通常の送受信を可能とする。
【００８６】
また、この発明に係るマルチ式空気調和機の運転制御装置は、室内機の直流電源に接続されたスイッチ部をフォトカプラで構成したことにより、信頼性を高めることができる。
【００８７】
また、この発明に係るマルチ式空気調和機の運転制御装置は、室外機の信号線路と一方の商用電源線路間に、室内機の送受信回路部と並列にスイッチ部と電流を制限する抵抗を直列に接続した回路を設け、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備えたことにより、信号線路と商用電源線路間のインピーダンスをアクティブに低減でき、信号線路と商用電源線路間に配線間静電容量により電圧が発生しても、室内機の送受信回路部を電流が流れることはなく、室内機の受信検出部が誤検出することを防止でき、また商用電源線路を流れる負荷電流により誘導される電圧が商用電源線路に発生しても、室内機の送受信回路部を電流が流れることはなく、室内機の受信検出部が誤検出することを防止できる。
【００８８】
また、この発明に係るマルチ式空気調和機の運転制御装置は、室外機の信号線路と一方の商用電源線路間に、室内機の送受信回路部と並列にスイッチ部と電流を制限する抵抗を直列に接続した回路を設け、室内機の信号線路と一方の商用電源線路間に、室内機の直流電源、抵抗Ｒ５及びスイッチ部とを直列につないだ経路を送受信回路部と別経路で設けると共に、室外機の信号線路と一方の商用電源線路間にツェナーダイオードを設け、室外機の送受信回路部に設けた誤配線時に室外機の受信検出部を保護するための抵抗Ｒ２、室内機の送受信回路部に設けた誤配線時に室内機の受信検出部を保護するための抵抗Ｒ３、及び抵抗Ｒ５の３個の抵抗の定数を調節して、信号線路と一方の商用電源線路間の電圧を前記ツェナーダイオードのツェナー電圧未満とすることにより、複数の室内機との通信を可能としたことにより、信号線路と商用電源線路間のインピーダンスをアクティブに低減でき、信号線路と商用電源線路間に配線間静電容量により電圧が発生しても、室内機の送受信回路部を電流が流れることはなく、室内機の受信検出部が誤検出することを防止でき、また信号線路と商用電源線路間に配線間静電容量により電圧が発生しても、配線間の電圧を一定で固定させることができ、さらに誘起電圧による電流を別経路で安定させることにより、室外機の送受信回路部に電流が流れることはなく、室外機の受信検出部が誤検出することを防止できると共に、送受信回路の抵抗の定数を調節することにより、複数の室内機を備えたマルチ式空気調和機にも適用することができる。
【００８９】
また、この発明に係るマルチ式空気調和機の運転制御装置は、室外機の信号線路と一方の商用電源線路間に、室内機の送受信回路部と並列にスイッチ部と電流を制限する抵抗を直列に接続した回路を設け、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備え、室内機の信号線路と一方の商用電源線路間に、室内機の直流電源、抵抗Ｒ５及びスイッチ部とを直列につないだ経路を送受信回路部と別経路で設けると共に、室外機の信号線路と一方の商用電源線路間にツェナーダイオードを設け、前記室外機の送受信回路部に設けた誤配線時に室外機の受信検出部を保護するための抵抗Ｒ２、室内機の送受信回路部に設けた誤配線時に前記室内機の受信検出部を保護するための抵抗Ｒ３、及び抵抗Ｒ５の３個の抵抗の定数を調節して、信号線路と一方の商用電源線路間の電圧を前記ツェナーダイオードのツェナー電圧未満とすることにより、複数の室内機との通信を可能としたことにより、信号線路と商用電源線路間のインピーダンスをアクティブに低減でき、信号線路と商用電源線路間に配線間静電容量により電圧が発生しても、室内機の送受信回路部を電流が流れることはなく、室内機の受信検出部が誤検出することを防止でき、また商用電源線路を流れる負荷電流により誘導される電圧が商用電源線路に発生しても、室内機の送受信回路部を電流が流れることはなく、室内機の受信検出部が誤検出することを防止でき、さらに信号線路と商用電源線路間に配線間静電容量により電圧が発生しても、配線間の電圧を一定で固定させることができ、さらに誘起電圧による電流を別経路で安定させることにより、室外機の送受信回路部に電流が流れることはなく、室外機の受信検出部が誤検出することを防止できると共に、送受信回路の抵抗の定数を調節することにより、複数の室内機を備えたマルチ式空気調和機にも適用することができる。
【００９０】
また、この発明に係るマルチ式空気調和機の運転制御装置は、室内機の送受信回路部に設けられ、送信スイッチ部及び受信検出部と直列に接続され、室内機運転電流が一方の商用電源線路に流れることにより発生する誘導電圧により流れる電流を遮断するツェナーダイオードを備え、室内機の信号線路と一方の商用電源線路間に、室内機の直流電源、抵抗Ｒ５及びスイッチ部とを直列につないだ経路を送受信回路部と別経路で設けると共に、室外機の信号線路と一方の商用電源線路間にツェナーダイオードを設け、室外機の送受信回路部に設けた誤配線時に室外機の受信検出部を保護するための抵抗Ｒ２、室内機の送受信回路部に設けた誤配線時に室内機の受信検出部を保護するための抵抗Ｒ３、及び抵抗Ｒ５の３個の抵抗の定数を調節して、信号線路と一方の商用電源線路間の電圧をツェナーダイオードのツェナー電圧未満とすることにより、複数の室内機との通信を可能としたことにより、商用電源線路を流れる負荷電流により誘導される電圧が商用電源線路に発生しても、室内機の送受信回路部を電流が流れることはなく、室内機の受信検出部が誤検出することを防止でき、また信号線路と商用電源線路間に配線間静電容量により電圧が発生しても、配線間の電圧を一定で固定させることができ、さらに誘起電圧による電流を別経路で安定させることにより、室外機の送受信回路部に電流が流れることはなく、室外機の受信検出部が誤検出することを防止できると共に、送受信回路の抵抗の定数を調節することにより、複数の室内機を備えたマルチ式空気調和機にも適用することができる。
【図面の簡単な説明】
【図１】  実施の形態１を示す図で、マルチ式空気調和機の運転制御装置の回路図である。
【図２】  実施の形態１を示す図で、マルチ式空気調和機の運転制御装置の動作説明図である。
【図３】  実施の形態２を示す図で、マルチ式空気調和機の運転制御装置の回路図である。
【図４】  実施の形態３を示す図で、マルチ式空気調和機の運転制御装置の回路図である。
【図５】  実施の形態３を示す図で、マルチ式空気調和機の運転制御装置の動作説明図である。
【図６】  実施の形態４を示す図で、信号線路と商用電源線路Ｓ間の電圧を求めるための等価回路を示す図である。
【図７】  実施の形態４を示す図で、信号線路と商用電源線路Ｓ間の電圧の計算結果を示す図である。
【図８】  従来のマルチ式空気調和機の運転制御装置の回路図である。
【図９】  従来のマルチ式空気調和機の運転制御装置の動作説明図である。
【図１０】  従来のマルチ式空気調和機の運転制御装置の動作説明図である。
【図１１】  従来のマルチ式空気調和機の運転制御装置の動作説明図である。
【符号の説明】
１  室外機、２〜４  室内機、５  信号線路、６  送受信回路部、７  送信スイッチ部、８  受信検出部、９  コントローラ、１１  誘起電圧、Ｃ１  コンデンサ、Ｃ２  コンデンサ、Ｃ３  コンデンサ、Ｃ４  コンデンサ、Ｄ１  ダイオード、Ｄ２  ダイオード、Ｄ３  ダイオード、ｅ  商用電源、ＰＣ１  フォトカプラ、ＰＣ２  フォトカプラ、Ｒ  商用電源線路、Ｓ  商用電源線路、Ｒ１  抵抗、Ｒ２  抵抗、Ｒ３  抵抗、Ｒ４  抵抗、Ｒ５  抵抗、ＴＲ１  デジタルトランジスタ、ＴＲ２  デジタルトランジスタ、ＺＤ１  ツェナーダイオード、ＺＤ２  ツェナーダイオード、ＺＤ３  ツェナーダイオード、ＺＤ４  ツェナーダイオード、ＺＤ５  ツェナーダイオード。
【図１】
0003828035.tif 000002
【図２】
0003828035.tif 000003
【図３】
0003828035.tif 000004
【図４】
0003828035.tif 000005
【図５】
0003828035.tif 000006
【図６】
0003828035.tif 000007
【図７】
0003828035.tif 000008
【図８】
0003828035.tif 000009
【図９】
0003828035.tif 000010
【図１０】
0003828035.tif 000011
【図１１】
0003828035.tif 000012